(57)【要約】【課題】ハウジングにカードを挿入した際にコンタクトが安定して挙動できるようにしたカードコネクタ及び基板のカード接続構造の提供。【解決手段】カードコネクタ２は、底板部５上にカード体３が挿入されるカード挿入部４１が形成されたハウジング４と、一端を底板部５に支持される支持基端６２４とし、他端を底板部に対し移動可能な可動端６２５とした弾性接触片６２を備えてなるコンタクト６，６とを備え、ハウジング４に可動端６２５を支持する弾性支持体７を備えることで、弾性支持片６２を常に弾性的に支持するようにした。【選択図】図１
2018032532.tif 000002
【特許請求の範囲】
【請求項１】
底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、
前記コンタクトには、一端を前記底板部に支持される支持基端とし、他端を前記底板部に対し移動可能な可動端とし、且つ、前記支持基端と前記可動端との間に前記カード挿入部の内底部より突出した接点部を有してなる弾性接触片を備えているカードコネクタにおいて、
前記ハウジングに前記可動端を支持する弾性支持体を備えていることを特徴とするカードコネクタ。
【請求項２】
前記底板部に板厚方向に貫通したコンタクト組込み用窓部を備え、
前記弾性支持体は、前記コンタクト組込み用窓部の内縁より突出した片持ちバネ状に形成されている請求項１に記載のカードコネクタ。
【請求項３】
前記可動端と前記弾性支持体とを連結する連結部材を備えている請求項１又は２に記載のカードコネクタ。
【請求項４】
同方向に並ぶ複数のコンタクトを備え、
前方のコンタクトの前記支持基端を前記底板部に支持させる支持片と、後方のコンタクトの前記可動端と前記前方のコンタクトの支持基端とを連結する連結部材とを備え、前記支持片を前記後方のコンタクトの可動端を支持する弾性支持体とした請求項１〜３の何れか１に記載のカードコネクタ。
【請求項５】
基板上にカードコネクタが実装され、該カードコネクタを介してカード体と前記基板とが接続される基板のカード接続構造において、
前記カードコネクタは、底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、
前記底板部には、板厚方向に貫通したコンタクト組込み用窓部が形成され、
前記コンタクトには、一端を前記コンタクト組込み用窓部の内縁に支持される支持基端とし、他端を前記コンタクト組込み用窓部内に移動可能に挿入された可動端とし、且つ、前記支持基端と前記可動端との間に前記カード挿入部の内底部より突出した接点部を有してなる弾性接触片を備え、
前記基板には、その表面部に支持され、前記可動端を支持する弾性支持体を備えていることを特徴とする基板のカード接続構造。
【発明の詳細な説明】
【技術分野】
【０００１】
本発明は、ＩＣカードやフラッシュメモリーカード等のカードを携帯電話機やスマートフォン等の電子機器に搭載されたプリント配線基板に接続するためのカードコネクタ及び基板のカード接続構造に関する。
【背景技術】
【０００２】
従来、携帯電話機やスマートフォン等の電子機器の外部記憶媒体としてＩＣカードやフラッシュメモリーカード等のカードが使用されており、このカードと電子機器に搭載されたプリント配線基板とをカードコネクタを介して電気的に接続させている。
【０００３】
この種のカードコネクタには、ＩＣカード等のカードが挿入されるカード挿入部を有するハウジングと、カード挿入部の底部より突出させた弾性接触片を有する導電性金属板材からなる複数のコンタクトとを備え、カードをカード挿入部に挿入することで、カードの片面側に形成された信号伝達端子（パッド）が対応するコンタクトの弾性接触片と接触し、プリント配線基板とカードとを電気的に接続させるようになっている。
【０００４】
このカードコネクタに用いられるコンタクトとしては、弾性接触片の基端側をハウジング底部に支持させて他端接点側をカード挿入部の内底面より浮き上がらせた片持ち構造のものが広く使用され、カードをカード挿入部に挿入すると、カードが弾性接触片を押圧し、弾性接触片が基端側を支持させた状態で弾性変形するようになっている（例えば、特許文献１を参照）。
【０００５】
しかしながら、携帯電話機やスマートフォン等の電子機器の小型・低背化及びＩＣカード等のカード自体の小型化に伴い、この種のカードコネクタにおいても小型・低背化が進み、その為、コンタクトを構成する導電性金属板材の板厚も薄くせざるを得ず、片持ち支持の弾性接触片では十分な接触圧を得るのに必要な弾性（バネ定数）を確保できない場合があった。
【０００６】
そこで、上述の如き問題を鑑み、頂部に接点部が形成されたへの字状の弾性接触片を有するコンタクトを使用し、カードの縁部に押圧されて弾性接触片に押し下げ方向の力が作用した際に、弾性接触片がその両端を支持させた状態で弾性変形するようにし、弾性接触片の弾性（バネ定数）の向上を図ったカードコネクタが開発されている（例えば、特許文献２を参照）。
【０００７】
このカードコネクタでは、ハウジングの底板部に板厚み方向に貫通した開口窓がカード挿抜方向に向けて形成され、その内縁部に弾性接触片の基端側（以下、支持基端という）がハウジングに固定又はバネ片を介して単純支持され、弾性接触片の先端側（以下、可動端という）が移動可能に開口窓内に挿入されている。
【０００８】
そして、カードがカード挿入部に挿入され、カードの縁部が弾性接触片を押圧すると、その押圧力を受けて可動端は、カードコネクタ下のプリント配線基板表面に接触するとともに摺動することにより、弾性接触片の両端が支持されるようになっている。
【先行技術文献】
【特許文献】
【０００９】
【特許文献１】特開平１１  −２５０２０２号公報
【特許文献２】特開２００８−０９７９４７号公報
【発明の概要】
【発明が解決しようとする課題】
【００１０】
しかしながら、上述の如き従来の技術では、カードが挿入された際に、カードに押圧されて弾性接触片が弾性変形し、それに伴い可動端がカードコネクタ下のプリント配線基板表面と接触及び摺動するため、摺動する可動端のエッジに基板表面が削られるおそれがあり、また、基板表面の削られた部分に可動端が引っ掛かることで、弾性接触片の所定の挙動に支障が生じ、それに伴う弾性接触片の変形が懸念される。
【００１１】
また、プリント配線基板の可動端が接触し摺動する部分、即ち、可動端の可動域は、短絡を回避するためパターンを形成することができず、その分、基板設計の自由度が制約されるという問題があった。
【００１２】
さらに、この種のカードコネクタでは、弾性接触片の少なくとも可動端が単純支持であるため、十分な接触圧を得るためにバネ定数を大きく設定せざるを得なかった。
【００１３】
更にまた、この種のカードコネクタでは、可動端と基板表面との間に隙間（クリアランス）が生じるため、弾性接触片に押圧力が作用し始めてから可動端が基板表面に接触するまでの間、接点荷重が微小しか増大しない領域、所謂あそびが生じるため、その間のカードとの安定した接触状態を確保するためには、バネ定数を大きく設定せざるを得なかった。
【００１４】
そのため、この種のカードコネクタでは、カード挿入時の接触圧が過剰にならざるを得ず、特に、厚みの異なる非正規カードが挿入された場合には、接触圧が過大となり、コンタクトが塑性変形する原因になるおそれがあった。
【００１５】
本発明は、このような従来の問題に鑑み、ハウジングにカードを挿入した際にコンタクトが安定して挙動できるようにしたカードコネクタ及び基板のカード接続構造の提供を目的としてなされたものである。
【課題を解決するための手段】
【００１６】
上述の如き従来の問題を解決するための請求項1に記載の発明の特徴は、底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、前記コンタクトには、一端を前記底板部に支持される支持基端とし、他端を前記底板部に対し移動可能な可動端とし、且つ、前記支持基端と前記可動端との間に前記カード挿入部の内底部より突出した接点部を有してなる弾性接触片を備えているカードコネクタにおいて、前記ハウジングに前記可動端を支持する弾性支持体を備えているカードコネクタにある。
【００１７】
請求項２に記載の発明の特徴は、請求項１の構成に加え、前記底板部に板厚方向に貫通したコンタクト組込み用窓部を備え、前記弾性支持体は、前記コンタクト組込み用窓部の内縁より突出した片持ちバネ状に形成されていることにある。
【００１８】
請求項３に記載の発明の特徴は、請求項１又は２の構成に加え、前記可動端と前記弾性支持体とを連結する連結部材を備えていることにある。
【００１９】
請求項４に記載の発明の特徴は、請求項１〜３の何れか１の構成に加え、同方向に並ぶ複数のコンタクトを備え、前方のコンタクトの前記支持基端を前記底板部に支持させる支持片と、後方のコンタクトの前記可動端と前記前方のコンタクトの支持基端とを連結する連結部材とを備え、前記支持片を前記後方のコンタクトの可動端を支持する弾性支持体としたことにある。
【００２０】
請求項５に記載の発明の特徴は、基板上にカードコネクタが実装され、該カードコネクタを介してカード体と前記基板とが接続される基板のカード接続構造において、前記カードコネクタは、底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、前記底板部には、板厚方向に貫通したコンタクト組込み用窓部が形成され、前記コンタクトには、一端を前記コンタクト組込み用窓部の内縁に支持される支持基端とし、他端を前記コンタクト組込み用窓部内に移動可能に挿入された可動端とし、且つ、前記支持基端と前記可動端との間に前記カード挿入部の内底部より突出した接点部を有してなる弾性接触片を備え、前記基板には、その表面部に支持され、前記可動端を支持する弾性支持体を備えている基板のカード接続構造にある。
【発明の効果】
【００２１】
本発明に係るカードコネクタは、上述したように、底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、前記コンタクトには、一端を前記底板部に支持される支持基端とし、他端を前記底板部に対し移動可能な可動端とし、且つ、前記支持基端と前記可動端との間に前記カード挿入部の内底部より突出した接点部を有してなる弾性接触片を備えているカードコネクタにおいて、前記ハウジングに前記可動端を支持する弾性支持体を備えていることにより、可動端が基板表面等を摺動することがなく、基板の摩耗や摺動に伴う削り屑を防止することができる。また、弾性接触片が基板と接触しないので、基板パターンの形成が制限されず、基板設計の自由度が向上する。さらにまた、可動端が常に支持された状態にあるため、所謂あそびが生じず、カード挿入の初期段階から安定した接触圧でカードと接触できるので、従来品よりバネ定数を低く設定でき、厚みのある非正規カードが挿入された際等の過剰な接触圧の発生を緩和することができる。
【００２２】
また、本発明において、前記底板部に板厚方向に貫通したコンタクト組込み用窓部を備え、前記弾性支持体は、前記コンタクト組込み用窓部の内縁より突出した片持ちバネ状に形成されていることにより、弾性接触片の可動端側を好適に弾性的に支持することができる。
【００２３】
さらに、本発明において、前記可動端と前記弾性支持体とを連結する連結部材を備えていることにより、弾性支持体による安定した支持状態を維持することができる。
【００２４】
さらにまた、本発明において、同方向に並ぶ複数のコンタクトを備え、前方のコンタクトの前記支持基端を前記底板部に支持させる支持片と、後方のコンタクトの前記可動端と前記前方のコンタクトの支持基端とを連結する連結部材とを備え、前記支持片を前記後方のコンタクトの可動端を支持する弾性支持体としたことにより、支持基端を支持する部分と弾性支持体とを兼用し、その分、省スペース化を図ることができる。
【００２５】
また、本発明に係る基板のカード接続構造では、基板上にカードコネクタが実装され、該カードコネクタを介してカード体と前記基板とが接続される基板のカード接続構造において、前記カードコネクタは、底板部上にカード体が挿入されるカード挿入部が形成されたハウジングと、前記カード挿入部の内底部より突出して前記カード体の片面側に露出した信号伝達端子と接触する導電性金属材からなるコンタクトとを備え、前記底板部には、板厚方向に貫通したコンタクト組込み用窓部が形成され、前記コンタクトには、一端を前記コンタクト組込み用窓部の内縁に支持される支持基端とし、他端を前記コンタクト組込み用窓部内に移動可能に挿入された可動端とし、且つ、前記支持基端と前記可動端との間に前記カード挿入部の内底部より突出した接点部を有してなる弾性接触片を備え、前記基板には、その表面部に支持され、前記可動端を支持する弾性支持体を備えていることにより、基板の摩耗や摺動に伴う削り屑を防止することができる。また、可動端が常に支持された状態にあるため、カード挿入の初期段階から安定した接触圧でカードと接触できるので、従来品よりバネ定数を低く設定でき、厚みのある非正規カードが挿入された際等の過剰な接触圧の発生を緩和することができる。
【図面の簡単な説明】
【００２６】
【図１】本発明に係るカードコネクタの第１の実施態様を示すコンタクト部分縦断面図である。
【図２】同上のカードコネクタのハウジングの底板部を示す平面図である。
【図３】同上のコンタクト部分を示す拡大断面図である。
【図４】本発明に係るカードコネクタと従来のカードコネクタとの荷重−ひずみ特性を比較した荷重-ひずみ線図である。
【図５】本発明に係るカードコネクタの第２の実施態様のハウジング底板部を示す平面図である。
【図６】同上のコンタクト支持状態の概略を示す拡大断面図である。
【発明を実施するための形態】
【００２７】
次に、本発明に係るカードコネクタの第１の実施態様を図１〜図４に示した実施例に基づいて説明する。尚、図中符号１は、電子機器に搭載されるプリント配線基板（以下、基板という）、符号２は基板１に実装されるカードコネクタ、符号３はメモリーカード等のカード体である。
【００２８】
カードコネクタ２は、カード体３が挿入されるカード挿入部４１を有するハウジング４と、ハウジング４の底板部５に配設された複数のコンタクト６，６とを備え、カード体３をカード挿入部４１に挿入することにより、カード体３の片面側に露出した信号伝達端子（パッド）がコンタクト６，６と接触するようになっている。
【００２９】
ハウジング４は、絶縁合成樹脂製の底板部５を有するモールド体４２と、導電性金属板材からなるシールドカバー４３とを備え、モールド体４２とシールドカバー４３とが組み付けられ、底板部５上に前面が開口したカード挿入部４１が形成されている。尚、図２は、シールドカバー４３を取り外した状態を示している。
【００３０】
底板部５は、図２に示すように、板厚方向に貫通したコンタクト組込み用窓部５１，５１がカード体挿抜方向に向けて形成され、各コンタクト６，６及び弾性支持体７が一体成形により底板部５に組み込まれている。
【００３１】
また、底板部５には、板厚方向に貫通し、コンタクト６，６の接続端子片６３が露出する端子露出窓部５２が形成されている。
【００３２】
コンタクト組込み用窓部５１，５１は、コンタクト６，６の形状に整合させた形状に形成され、底板部５を板厚方向に貫通している。本実施例では、底板部５を板厚方向に貫通し、且つ、カード体挿抜方向に向けた矩形穴状に形成され、その中間部に内向きに張り出したコンタクト支持部５１１，５１１が一体に突設されている。
【００３３】
また、このコンタクト組込み用窓部５１，５１には、手前側底部にコンタクト６，６の基端支持部６１２を支持する基端受け部５１２が底板部５と一体に形成されている。
【００３４】
コンタクト６，６は、導電性金属板材を打抜き・折り曲げ加工することによって一体に形成され、底板部５に支持される支持片６１と、支持片６１に支持された弾性接触片６２と、基板１に接続される接続端子片６３とを備えている。
【００３５】
支持片６１は、互いに平行な一対の支持バネ部６１１，６１１と、両支持バネ部６１１，６１１の基端側を連結する基端支持部６１２とを備え、平面視Ｕ字状に形成され、支持バネ部６１１，６１１の先端側がそれぞれコンタクト支持部５１１，５１１に埋設され、基端支持部６１２側を自由端とする片持ち板バネ状を成している。
【００３６】
また、この支持片６１は、コンタクト組込み用窓部５１，５１に対し基端支持部６１２が基端受け部５１２上に配置されるように底板部５に組み込まれている。
【００３７】
弾性接触片６２は、基端支持部６１２に一体に支持された支持基端６２４よりカード体挿入方向上側に向けて傾斜した支持基端側片６２１と、支持基端側片６２１の先端側を円弧状に屈曲させた形状の接点部６２２と、接点部６２２の他端側よりカード体挿入方向下側に向けて傾斜した形状の可動端側片６２３とを備え、支持基端側片６２１、接点部６２２及び可動端側片６２３とをもって接点部６２２を頂部とする側面視への字状を成すとともに、弾性接触片６２の支持基端６２４と可動端６２５との間にカード体３の信号伝達端子と接触する接点部６２２が配置されている。
【００３８】
また、弾性接触片６２は、支持基端６２４及び可動端６２５がコンタクト組込み用窓部５１，５１内に挿入された配置にあって、コンタクト組込み用窓部５１，５１を通して接点部６２２が底板部５内底面よりカード挿入部４１内に突出している。
【００３９】
接続端子片６３は、底板部５に埋設され、その一端が一方の支持バネ部６１１の先端部に接続され、他端が端子露出窓部５２の内縁より突出し、端子露出窓部５２内に突出した他端部が端子露出窓部５２を通して底板部５底面に露出し、基板１表面に形成されたパターンに半田付け等によって接続されるようになっている。
【００４０】
弾性支持体７は、可撓性を有する金属製板材を打抜き・折り曲げ加工することによって平面視矩形枠状に形成され、互いに平行な一対のバネ片部７１，７１と、バネ片部７１，７１の先端側を連結する可動端受け部７２と、バネ片部７１，７１の基端側を連結する埋設片部７３とを備えている。
【００４１】
この弾性支持体７は、図２及び図３に示すように、埋設片部７３及びバネ片部７１，７１の基端側がコンタクト組込み用窓部５１，５１の奥側縁部に埋設され、その他の部分がコンタクト組込み用窓部５１の内縁より後方に向けてやや斜め上向きに突出している。
【００４２】
バネ片部７１，７１は、基端側が底板部５に支持された片持ちバネ状を成し、その先端部間に可動端受け部７２が撓み可能に一体に支持されている。
【００４３】
そして、この弾性支持体７は、可動端受け部７２が弾性接触片６２の可動端６２５の下面と接触するように配置され、弾性支持体７のバネ圧によって弾性接触片６２の可動端６２５が上向き、即ち、カード挿入部４１側に向けて付勢されるようになっている。
【００４４】
このように構成されたカードコネクタ２は、図３（ａ）に示すように、カード体３が未挿入の状態であっても、弾性接触片６２の可動端６２５が弾性支持体７に常に支持された状態にある。
【００４５】
そして、カード体３挿入の初期段階において、弾性接触片６２は、カード体３の前端が接触し、押し付け方向の押圧力が作用すると、弾性接触片６２の可動端６２５に押されて弾性支持体７が撓み、可動端６２５には、弾性支持体７のバネ反力が作用する。
【００４６】
そして、カード体３が所定の位置まで挿入されると、弾性接触片６２は、図３（ｂ）に示すように、支持基端６２４が基端受け部５１２に支持され、可動端６２５が弾性支持体７を介して底板部５に支持され、接触部がカード体３のパッド部に対し所定の接触圧で接触する。
【００４７】
その際、カードコネクタ２では、図４に示すように、弾性接触片６２の可動端６２５が弾性支持体７に常に支持されていることによって、カード体３の挿入初期段階からたわみ量に対して接点荷重が順次緩やかに増大するため、荷重―たわみ線の傾きを小さく、即ち、バネ定数を小さく設定することができる。
【００４８】
一方、従来のカードコネクタ２では、カード体３の挿入初期段階で可動端６２５が支持されておらず、その領域において接点荷重が増加しないため、本願発明のカードコネクタ２と同様のたわみ量で接点荷重を得るためには、荷重―たわみ線の傾きを大きく、即ち、バネ定数を大きく取らざるを得ない。
【００４９】
よって、本願発明では、従来のカードコネクタ２と比較して、カード体３に対する過剰な接触圧を抑制することができ、万一、誤って厚みのある非正規カード体３がカード挿入部４１に挿入された場合であっても、弾性接触片６２が塑性変形しにくくなっている。
【００５０】
次に、本願発明に係るカードコネクタの第２の実施態様について図５及び図６に基づいて説明する。尚、上述の実施例と同様の構成には同一符号を付して説明し、適宜説明を省略する。
【００５１】
図４は、本実施例に係るカードコネクタ２において、ハウジング４のシールドカバー４３を取り外した状態を示し、カードコネクタ２は、支持基端６２４−可動端６２５方向が同じ方向に並ぶ複数のコンタクト６ａ，６ｂを底板部５に備えている。
【００５２】
底板部５は、図５に示すように、板厚方向に貫通したコンタクト組込み用窓部５１，５１がカード体挿抜方向に対しやや斜めに向けて形成され、各コンタクト６ａ，６ｂ及び弾性支持体７が一体成形により底板部５に組み込まれている。
【００５３】
また、底板部５には、板厚方向に貫通し、コンタクト６ａ，６ｂの接続端子片６３が露出する端子露出窓部５２が形成されている。
【００５４】
コンタクト組込み用窓部５１，５１は、コンタクト６ａ，６ｂの形状に整合させた形状に形成され、底板部５を板厚方向に貫通している。本実施例では、底板部５を板厚方向に貫通し、且つ、斜め方向に連なる３つの矩形穴部５１３，５１３...と、各矩形穴部５１３，５１３を連通する渡し部５１４とによって構成され、渡し部５１４の側部にコンタクト支持部５１１が張り出すように形成されている。
【００５５】
また、このコンタクト組込み用窓部５１，５１には、手前側矩形穴部５１３の底部に後方のコンタクト６ｂの基端支持部６１２を支持する基端受け部５１２が底板部５と一体に形成されている。
【００５６】
コンタクト６ａ，６ｂは、図５に示すように、導電性金属板材を打抜き・折り曲げ加工することにより一体に形成され、底板部５に支持される支持片６１と、支持片６１に支持された弾性接触片６２と、基板１に接続される接続端子片６３とを備えている。
【００５７】
支持片６１は、基端がコンタクト支持部５１１に埋設された支持バネ部６１１と、支持バネ部６１１の先端より横向きに延出した基端支持部６１２とを備え、平面視Ｌ字状又は逆Ｌ字状に形成され、基端支持部６１２側を自由端とする片持ち板バネ状を成している。
【００５８】
また、後方のコンタクト６ｂは、コンタクト組込み用窓部５１に対し支持片６１の基端支持部６１２が基端受け部５１２上に配置されるように底板部５に組み込まれている。
【００５９】
弾性接触片６２は、基端支持部６１２に一体に支持された支持基端６２４より斜め方向上側に向けて傾斜した支持基端側片６２１と、支持基端側片６２１の先端側を円弧状に屈曲させた形状の接点部６２２と、接点部６２２の他端側よりカード体挿入方向下側に向けて傾斜した形状の可動端側片６２３とを備え、支持基端側片６２１、接点部６２２及び可動端側片６２３とをもって接点部６２２を頂部とする側面視への字状を成すとともに、弾性接触片６２の支持基端６２４と可動端６２５との間にカード体３の信号伝達端子（パッド）と接触する接点部６２２が配置されている。
【００６０】
また、弾性接触片６２は、支持基端６２４及び可動端６２５がコンタクト組込み用窓部５１内に挿入された配置にあって、コンタクト組込み用窓部５１を通して接点部６２２が底板部５内底面よりカード挿入部４１内に突出している。
【００６１】
接続端子片６３は、底板部５に埋設され、その一端が一方の支持バネ部６１１の先端部に接続され、他端が端子露出窓部５２の内縁より突出し、端子露出窓部５２内に突出した他端部が端子露出窓部５２を通して底板部５底面に露出し、基板１表面に形成されたパターンに半田付け等によって接続されるようになっている。
【００６２】
弾性支持体７は、可撓性を有する金属製板材を打抜き・折り曲げ加工することによって平面視Ｌ字状又は逆Ｌ字状に形成され、基端側が底板部５に埋設されたバネ片部７１と、バネ片部７１の先端側より横向きに延出した可動端受け部７２とを備えている。
【００６３】
この弾性支持体７は、バネ片部７１の基端側がコンタクト組込み用窓部５１，５１の奥側縁部に埋設され、その他の部分がコンタクト組込み用窓部５１の内縁より後方に向けてやや斜め上向きに突出している。
【００６４】
バネ片部７１は、基端側が底板部５に支持された片持ちバネ状を成し、その先端部に可動端受け部７２が撓み可能な状態で一体に支持されている。
【００６５】
そして、この弾性支持体７は、可動端受け部７２が前方のコンタクト６ａの弾性接触片６２の可動端６２５と連結部材８１により連結されている。
【００６６】
また、このカードコネクタ２では、後方のコンタクト６ｂの可動端６２５と前方のコンタクト６ａの支持基端６２４とを連結する連結部材８２を備え、支持片６１を後方のコンタクト６ｂの可動端６２５を支持する弾性支持体としている。
【００６７】
このように構成されたカードコネクタ２では、図６に示すように、前方のコンタクト６ａの可動端６２５が弾性支持体７と連結部材８１で連結され、後方のコンタクト６ｂの可動端６２５が前方の支持片６１と連結部材８２によって連結されているので、後方のコンタクト６ｂ、前方のコンタクト６ａ及び弾性支持体７が連動し、カード体３が未挿入の状態であっても、各コンタクト６ａ，６ｂの弾性接触片６２は、その可動端６２５が弾性支持体７、６１に常に支持された状態にある。
【００６８】
そして、カード体３が挿入されると、先ず、後方のコンタクト６ｂの弾性接触片６２にカード体３の前端が接触し、押し付け方向の押圧力が作用し、後方のコンタクト６ｂの弾性接触片６２の可動端６２５に押されて前方のコンタクト６ａの支持片６１が撓むとともに、前方のコンタクト６ａを介して弾性支持体７が撓み、両コンタクト６ａ，６ｂの可動端６２５にバネ反力が作用する。
【００６９】
そして、カード体３が所定の位置まで挿入されると、後方のコンタクト６ｂの弾性接触片６２は、支持基端６２４が基端受け部５１２に支持され、後方のコンタクト６ｂ、前方のコンタクト６ａ及び弾性支持体７からなるバネ構造体の両端が底板部５に支持されるとともに、各コンタクト６ａ，６ｂの弾性支持片６１の支持基端６２４及び可動端６２５がそれぞれ支持された状態となり、各弾性接触片６２の接触部がカード体３のパッド部に対し所定の接触圧で接触する。
【００７０】
尚、コンタクト６（６ａ，６ｂ）の形状は、上述のいずれの実施例の態様に限定されず、例えば、弾性接触片６２の支持基端６２４が底板部５に埋設される構造のものであってもよい。
【００７１】
また、上述の実施例では、弾性支持体７を片持ち板バネ状とした例について説明したが、弾性接触片６２の可動端６２５を押し上げ方向に付勢する構造であれば、その他の形状であってもよい。
【００７２】
さらに、上述の実施例では、弾性支持体７をハウジング４に備えたカードコネクタ２について説明したが、弾性支持体７をカードコネクタ２が実装される基板１の表面部に設け、カードコネクタ２を基板１に実装することにより、その弾性支持体７がコンタクト組込み用窓部５１内に挿入され、弾性接触片６２の可動端６２５を支持するようにした基板１のカード体接続構造としてもよい。
【００７３】
また、上述の実施例では、カード体３を直接カードコネクタ２に接続する例について説明したが、カード体３は、カード体３単体の他、カードトレイに収容するもの、カードアダプタを用いるもの等であってもよい。
【符号の説明】
【００７４】
１  基板
２  カードコネクタ
３  カード体
４  ハウジング
４１  カード挿入部
４２  モールド体
４３  シールドカバー
５  底板部
５１  コンタクト組込み用窓部
５１１  コンタクト支持部
５１２  基端受け部
５２  端子露出窓部
６  コンタクト
６１  支持片
６１１  支持バネ部
６１２  基端支持部
６２  弾性接触片
６２１  支持基端側片
６２２  接点部
６２３  可動端側片
６２４  支持基端
６２５  可動端
６３  接続端子片
７  弾性支持体
７１  バネ片部
７２  可動端受け部
７３  埋設片部
８１，８２  連結部材
【図１】
2018032532.tif 000003
【図２】
2018032532.tif 000004
【図３】
2018032532.tif 000005
【図４】
2018032532.tif 000006
【図５】
2018032532.tif 000007
【図６】
2018032532.tif 000008